(57)【要約】【課題】被洗浄物に付着した通常の汚れはもちろんのこと、固着した汚れであっても簡単かつ確実に落とすことができる、洗浄能力と取り扱い性とに勝れたヘラ付きスポンジたわしを提供する。【解決手段】スポンジたわしＡを、合成樹脂を発泡成形することによって得られた２つの略直方体状のスポンジ部片３，３で形成された、弾力的な圧縮性と吸水性とを有する多孔質のスポンジ部１と、このスポンジ部１の一端から軸線方向に延出するヘラ部２とで構成する。【選択図】        図１
2004201812.tif 000002
【特許請求の範囲】
【請求項１】
圧縮性と吸水性とを有する多孔質のスポンジ部と、このスポンジ部から延出する弾性あるヘラ部とを備えてなることを特徴とするヘラ付きスポンジたわし。
【請求項２】
上記ヘラ部がプレート状をしていて、先端に、汚れを掻き取るためのエッジを有することを特徴とする請求項１に記載のヘラ付きスポンジたわし。
【請求項３】
上記ヘラ部が、上記スポンジ部の一部を圧縮して高密度化することにより、このスポンジ部と一体に形成されていることを特徴とする請求項１又は２に記載のヘラ付きスポンジたわし。
【請求項４】
上記スポンジ部が複数のスポンジ部片に分かれていて、これらのスポンジ部片の間に被洗浄物を挟むための切れ目を有することを特徴とする請求項１から３までの何れかに記載のヘラ付きスポンジたわし。
【請求項５】
上記ヘラ部内に、弾性を有する補強プレートが埋設されていることを特徴とする請求項１から４までの何れかに記載のヘラ付きスポンジたわし。
【発明の詳細な説明】
【０００１】
【発明の属する技術分野】
本発明は、汚れを掻き落とすためのヘラを備えたヘラ付きスポンジたわしに関するものである。
【０００２】
【従来の技術】
例えば食器や調理器具等の台所用品、換気扇、窓ガラス、浴槽、浴室の壁などの被洗浄物に付着した油汚れやその他の各種汚れを落とす際には、従来より、スポンジたわしが一般に使用され、このスポンジたわしに洗剤を含浸させて擦り落とすようにしている。この場合、上記スポンジたわしが特有の柔軟性を有しているため、固着した汚れは落としにくく、力を必要とする。また、落とした汚れの一部がスポンジたわしにこびりついて目詰まりさせてしまうこともあり、洗浄力の低下を来すだけでなく、雑菌の繁殖を招き易いなど衛生面でも悪影響を与える可能性があった。
【０００３】
そこで、被洗浄物にこびりついた汚れはスクレーパーを使用して掻き落とし、その後にスポンジたわしで洗浄するといったようなことも行われているが、スクレーパーとスポンジたわしの２種類の用具を使用しなければならないため、汚れ具合に応じてこれらの用具をいちいち使い分けるのが面倒で、作業に手間がかかる。しかも、使用後の用具の収容場所も用具毎にそれぞれ用意しなければならないため、取り扱いが面倒で、台所の整理という点でも問題が残る。
【０００４】
【発明が解決しようする課題】
本発明の技術的課題は、被洗浄物に付着した通常の汚れはもちろんのこと、固着した汚れであっても簡単かつ確実に落とすことができる、洗浄能力と取り扱い性とに勝れたヘラ付きスポンジたわしを提供することにある。
【０００５】
【課題を解決するための手段】
上記課題を解決するため、本発明のヘラ付きスポンジたわしは、圧縮性と吸水性とを有する多孔質のスポンジ部と、このスポンジ部から延出する弾性あるヘラ部とを備えてなることを特徴とするものである。
【０００６】
上記構成を有するスポンジたわしで被洗浄物を洗浄する場合、該被洗浄物に付着した通常の汚れはスポンジ部を使用して洗浄し、油汚れのような粘着性あるいは固着性の汚れがある場合には、ヘラ部を使用してそれを掻き落としたあと、上記スポンジ部を使用して洗浄する。
【０００７】
このように本発明のヘラ付きスポンジたわしは、ヘラ部とスポンジ部とを備えているため、被洗浄物に付着した通常の汚れはもちろんのこと、油汚れのような粘着性あるいは固着性の汚れであっても、上記ヘラ部とスポンジ部とを使い分けることによって簡単かつ確実に落とすことができる。従って、洗浄能力に勝れると共に、１つの用具で２種類の異なる洗浄を行うことができるため取り扱い性にも勝れ、使用後の収容場所も一か所で済むため、台所の整理も行い易い。また、固着性の汚れをスポンジ部で強く擦って落とす必要がないため、該スポンジ部が磨り減って早めに消耗したり、該スポンジ部に汚れがこびりついて目詰まりするといったようなこともなく、耐久性が高まるだけでなく、衛生面においても好ましい結果が得られる。
【０００８】
本発明において好ましくは、上記ヘラ部がプレート状をしていて、先端に、汚れを掻き取るためのエッジを有していることである。このようなエッジを設けることにより、固着した汚れを一層効率的に掻き取ることができる。
【０００９】
本発明においては、上記ヘラ部が、上記スポンジ部の一部を圧縮して高密度化することにより、このスポンジ部と一体に形成されている。
【００１０】
また、本発明においては、上記スポンジ部が複数のスポンジ部片に分かれていて、これらのスポンジ部片の間に被洗浄物を挟むための切れ目を有している。
【００１１】
さらに、本発明の好ましい構成態様によれば、上記ヘラ部内に、弾性を有する補強プレートが埋設されている。
【００１２】
【発明の実施の形態】
図１は本発明に係るヘラ付きスポンジたわしの第１実施例を示すもので、この第１実施例のスポンジたわしＡは、弾力的な圧縮性と吸水性とを有する多孔質のスポンジ部１と、このスポンジ部１の一端から軸線方向に延出するヘラ部２とを備えている。
【００１３】
上記スポンジ部１は、合成樹脂を発泡成形することによって得られた２つの略直方体状のスポンジ部片３，３を相互に重ね合わせ、上記ヘラ部２を有する側の端部を相互に連結したものである。従って、これらのスポンジ部片３，３の間には切れ目４が形成され、この切れ目４内に皿などの被洗浄物を挟んで洗浄することができるようになっている。
【００１４】
上記スポンジ部片３，３は、独立気泡を有するものであっても連続気泡を有するものであっても良いが、水切りが比較的容易で、該スポンジ部片に付着した汚れを落とし易いという点では、連続気泡である方が望ましい。この場合、両方のスポンジ部片３，３が連続気泡であっても、何れか一方のスポンジ部片３が連続気泡で、他方のスポンジ部片３が独立気泡であってもよい。
【００１５】
上記ヘラ部２は、上記スポンジ部片３，３の端部を部分的に圧縮することにより、両スポンジ部片３，３の一部に一体に形成されている。より具体的に、このヘラ部２は、上記スポンジ部片３，３の端部の互いに重なり合う部分に熱圧縮加工を施すことにより、これらの部分を薄肉化かつ扁平化すると共に、熱溶着で相互に一体化したものである。これにより該ヘラ部２は、上記スポンジ部片３，３よりも高密度化された平坦なプレート状に形成され、汚れを掻き落とすのに必要な適度の剛性と弾性とが付与されている。また、上記２つのスポンジ部片３，３は、このヘラ部２の形成によってそれらの端部同士が相互に連結されるが、さらに、このヘラ部２より内側の位置で、接着や逢着等の方法でこれらのスポンジ部片３，３が相互に連結されていても良い。
【００１６】
なお、上記スポンジ部片３，３の端部にヘラ部２を形成する方法として、上述した熱圧縮以外にも、両スポンジ部片３，３の端部を圧縮した状態で接着剤により相互に接着したり、あるいは逢着する方法もある。
【００１７】
かくして、スポンジ部片３，３の端部を圧縮してヘラ部２を形成することにより、このヘラ部２が、スポンジ部片３，３と同じ多孔質のスポンジ素材で形成されることになるが、圧縮により高密度化されて表面を含む全体の気泡が潰されているため、汚れを掻き取った際に、付着した汚れが気泡内に進入して目詰まりを起こす心配がなく、汚れが落ち易くなっている。
【００１８】
また、図１に示す実施例では、上記ヘラ部２が、全体としてほぼ均一の厚さを有していて、その先端形状は略弧状に形成され、食器などのカーブに対応し易いようになっている。しかし、ヘラ部２の先端形状はこのような弧状に限定されるものではなく、スポンジ部１の軸線と直交する直線であっても、該軸線に対して傾斜する直線であっても良い。
【００１９】
上記構成を有するヘラ付きスポンジたわしＡで被洗浄物を洗浄する場合、該被洗浄物に付着した通常の汚れはスポンジ部１のスポンジ部片３，３を使用して洗浄し、油汚れのような粘着性あるいは固着性の汚れがある場合には、ヘラ部２を使用してそれを掻き落としたあと、上記スポンジ部１を使用して洗浄するようにする。
【００２０】
このように、スポンジたわしがスポンジ部１とヘラ部２とを備えているため、被洗浄物に付着した通常の汚れはもちろんのこと、油汚れのような粘着性あるいは固着性の汚れであっても、上記スポンジ部１とヘラ部２とを使い分けることによって簡単かつ確実に落とすことができる。従って、洗浄能力に勝れると共に、１つの用具で２種類の異なる洗浄を行うことができるため取り扱い性にも勝れ、使用後の収容場所も一か所で済むため、台所の整理も行い易い。また、固着性の汚れをスポンジ部１で強く擦って落とす必要がないため、該スポンジ部１が磨り減って早めに消耗したり、該スポンジ部１に汚れがこびりついて目詰まりするといったようなこともなく、耐久性が高まるだけでなく、衛生面においても好ましい結果が得られる。
【００２１】
なお、上記第１実施例のスポンジたわしＡは、個別に形成した２つのスポンジ部片３，３を相互に重ね合わせて形成しているが、一つの細長いスポンジ素材を２つに折り曲げ、その折曲部に上記ヘラ部２を形成することによっても得ることができる。あるいは、一つの肉厚のスポンジブロックの一端に上記ヘラ部２を形成すると共に、このスポンジブロックに切れ目を入れて２つのスポンジ部片に分割することによっても得ることができる。
【００２２】
図２はスポンジたわしの第２実施例を示すもので、この第２実施例のスポンジたわしＢが上記第１実施例のスポンジたわしＡと異なる点は、スポンジ部１が切れ目を持っていないという点である。即ち、このスポンジたわしＢは、矩形形状をした１つのスポンジブロックによってスポンジ部１が形成され、このスポンジ部１の一端を圧縮することによってヘラ部２が形成されている。なお、このヘラ部２の先端は直線に形成されているが、第１実施例のように弧状に形成することもできる。また、このヘラ部２の肉厚は、全体として均一であっても良いが、スポンジ部１に近い基端側の肉厚が厚く、先端側にいくに従って次第に薄くなるような先細りの形状に形成することもできる。
【００２３】
図３及び図４はそれぞれスポンジたわしの第３及び第４実施例を示すもので、これらのスポンジたわしＣ，Ｄは、ヘラ部２の先端にそれぞれ汚れ掻き取り用のエッジ６を有する点で、上記第１及び第２実施例のスポンジたわしＡ，Ｂと異なっている。即ち、第３実施例のスポンジたわしＣは、ヘラ部２の直線状をした先端部に、該ヘラ部２の上下両面側に向けてＴ字形に立ち上がったエッジ６が、該ヘラ部２の全幅にわたって形成されており、第４実施例のスポンジたわしＤは、ヘラ部２の弧状をした先端部に、該ヘラ部２の両面側に向けて同様のエッジ６が形成されている。これらのエッジ６は、ヘラ部２の片面側だけに形成することもでき、この場合には、ヘラ部２の先端はＬ字形に形成されることになる。
【００２４】
上記実施例のスポンジたわしＣ，Ｄにおいては、被洗浄物にヘラ部２の先端のエッジ６を押し付けて前後動させることにより、固着した汚れをこのエッジ６で効率良く確実に掻き落とすことができる。
【００２５】
なお、上記第３及び第４実施例では、スポンジ部１として、第２実施例のように切れ目を持たない一つのスポンジブロックからなるものが示されているが、第１実施例のように、スポンジ部１は２つのスポンジ部片で形成されていても良い。
【００２６】
また、上記各実施例では、ヘラ部２が、スポンジ部１の一部をそのまま圧縮することによって形成されているが、該ヘラ部２の剛性をより大きくする必要がある場合には、図５及び図６に示す第５実施例に係るスポンジたわしＥのように、該ヘラ部２の内部に、合成樹脂やゴム等の素材で形成された弾性ある補強プレート５を埋設してもよい。これにより、ヘラ部２全体の腰が強くなるため、該ヘラ部２が必要以上に折れ曲がることなく、適度に撓みながら汚れを掻き落とすことができ、作業が行いやすく、使用感も向上する。この場合、スポンジ部１が一つのスポンジブロックで形成されていても、２つのスポンジ部片で形成されていても良い。また、ヘラ部２の先端の片面又は両面にエッジを設けても良いことはもちろんである。
【００２７】
さらに、上記各実施例では、ヘラ部２を、スポンジ部１の一部を圧縮することによって該スポンジ部１と一体に成形しているが、このヘラ部２は、スポンジ部１とは別体に形成し、接着や溶着あるいは逢着等の適当手段で該スポンジ部１に取付けてもよい。
【００２８】
【発明の効果】
以上に詳述したように本発明のヘラ付スポンジたわしによれば、ヘラ部とスポンジ部とを備えているため、被洗浄物に付着した通常の汚れはもちろんのこと、油汚れのような粘着性あるいは固着性の汚れであっても、上記ヘラ部とスポンジ部とを使い分けることによって簡単かつ確実に落とすことができる。従って、洗浄能力に勝れると共に、１つの用具で２種類の異なる洗浄を行うことができるため取り扱い性にも勝れ、使用後の収容場所も一か所で済むため、台所の整理も行い易い。また、固着性の汚れをスポンジ部で強く擦って落とす必要がないため、該スポンジ部が磨り減って早めに消耗したり、該スポンジ部に汚れがこびりついて目詰まりするといったようなこともなく、耐久性が高まるだけでなく、衛生面においても好ましい結果が得られる。
【図面の簡単な説明】
【図１】本発明に係るヘラ付きスポンジたわしの第１実施例を示す斜視図である。
【図２】同第２実施例を示す斜視図である。
【図３】同第３実施例を示す要部斜視図である。
【図４】同第４実施例を示す要部斜視図である。
【図５】同第５実施例を示す斜視図である。
【図６】図５の拡大断面図である。
【符号の説明】
１    スポンジ部
２    ヘラ部
３    スポンジ部片
４    切れ目
５    プレート
６    エッジ
【図１】
2004201812.tif 000003
【図２】
2004201812.tif 000004
【図３】
2004201812.tif 000005
【図４】
2004201812.tif 000006
【図５】
2004201812.tif 000007
【図６】
2004201812.tif 000008